(57)【特許請求の範囲】
【請求項１】
表面に遊技領域が形成された遊技盤を前面枠に着脱可能に収容し、該前面枠に前記遊技盤の前方を覆うクリア部材を保持させたクリア部材保持枠を開閉可能に軸着した遊技機において、
前記クリア部材保持枠の閉鎖時に前記遊技盤の下部と前記クリア部材との間に形成される間隙を埋めることが可能な不正防止部材を備え、
前記不正防止部材は、
前記遊技盤の下部と前記クリア部材との間に位置した状態において前記クリア部材を介して前記遊技盤の下部を視認可能とする透明な平板部と、
前記クリア部材保持枠の閉鎖時に前記遊技領域に対して不正部材が挿入されることを防止可能なように前記平板部に設けられる返し部と、
を有することを特徴とする遊技機。
【発明の詳細な説明】
【技術分野】
【０００１】
表面に遊技領域が形成された遊技盤を前面枠に着脱可能に収納し、該前面枠に前記遊技盤の前方を覆うクリア部材を保持させたクリア部材保持枠を開閉可能に軸着した遊技機に関する。
【背景技術】
【０００２】
従来、遊技機としてのパチンコ遊技機において、表面に遊技領域が形成された遊技盤を本体枠に着脱可能に収容し、該本体枠に前記遊技盤の前方を覆うクリア部材を保持させたクリア部材保持枠を開閉可能に軸着したものが知られている（例えば、特許文献１参照）。
【０００３】
また、当該本体枠には遊技盤の入賞口へ遊技球が入賞した場合に所定数の遊技球を排出する排出装置や遊技球を遊技領域に発射する発射装置等が配設されている。
【先行技術文献】
【特許文献】
【０００４】
【特許文献１】特開２００５−２７０４７０号公報
【発明の概要】
【発明が解決しようとする課題】
【０００５】
しかしながら、従来の遊技機では、クリア部材保持枠の閉鎖時に遊技盤の下部とクリア部材との間に間隙が形成されていたため、当該間隙から遊技領域に対してピアノ線やセル等の不正部材が挿入される不正行為が行い易いといった課題が生じていた。
【０００６】
本発明の目的は、表面に遊技領域が形成された遊技盤を本体枠に着脱可能に収容し、該本体枠に前記遊技盤の前方を覆うクリア部材を保持させたクリア部材保持枠を開閉可能に軸着した遊技機において、遊技領域に対して不正部材が挿入される不正行為を防止することである。
【課題を解決するための手段】
【０００７】
上記の課題を解決するため、請求項１に記載の発明は、
表面に遊技領域が形成された遊技盤を前面枠に着脱可能に収容し、該前面枠に前記遊技盤の前方を覆うクリア部材を保持させたクリア部材保持枠を開閉可能に軸着した遊技機において、
前記クリア部材保持枠の閉鎖時に前記遊技盤の下部と前記クリア部材との間に形成される間隙を埋めることが可能な不正防止部材を備え、
前記不正防止部材は、
前記遊技盤の下部と前記クリア部材との間に位置した状態において前記クリア部材を介して前記遊技盤の下部を視認可能とする透明な平板部と、
前記クリア部材保持枠の閉鎖時に前記遊技領域に対して不正部材が挿入されることを防止可能なように前記平板部に設けられる返し部と、
を有することを特徴とする。
【０００８】
ここで、「クリア部材」は、ガラス、透明合成樹脂などである。
【０００９】
請求項１に記載の発明によれば、クリア部材保持枠の閉鎖時に遊技盤の下部とクリア部材との間に形成される間隙を埋めることが可能な不正防止部材を備えたので、遊技領域に対してその下方から不正部材を挿入することを防止することが可能となる。
【００１１】
また、不正部材に形成された返し部によりいわゆる忍び返しとしての機能を果たすことによって、遊技領域に対してその下方から不正部材を挿入することを防止することが可能となる。
【発明の効果】
【００１７】
本発明によれば、クリア部材保持枠の閉鎖時に遊技盤の下部とクリア部材との間に形成される間隙を埋めることが可能な不正防止部材を備えたので、遊技領域に対してその下方から不正部材を挿入することを防止することが可能となる。
【図面の簡単な説明】
【００１８】
【図１】本発明を適用した一実施の形態の構成を示す遊技機の前面側から見た斜視図である。
【図２】遊技機の前面側から見た斜視図であって、クリア部材保持枠を開放した状態を示す図である。
【図３】前面枠とクリア部材の側部断面図であって、（ａ）クリア部材保持枠を閉鎖した状態を示す図、（ｂ）クリア部材保持枠を開放した状態を示す図である。
【図４】第１変形例にかかる遊技機の前面枠とクリア部材の側部断面図であって、（ａ）クリア部材保持枠を閉鎖した状態を示す図、（ｂ）クリア部材保持枠を開放した状態を示す図である。
【図５】第２変形例にかかる遊技機の前面枠における、開口部の下端部付近を示す側部断面図である。
【図６】第３変形例にかかる遊技機の閉鎖部材とクリア部材を示す上部断面図である。
【図７】第４変形例にかかる遊技機における、前面枠とクリア部材の側部断面図であって、閉鎖部材が設けられた部分を示す図である。
【発明を実施するための形態】
【００１９】
以下、この発明の実施形態について図面を参照して説明する。
ここでは、本発明にかかる遊技機の適例としてのパチンコ遊技機について図１から図７を用いて説明を行う。
【００２０】
図１，２に示すように、本実施形態の遊技機１００は、遊技店の島設備に固定される矩形枠状に構成された機枠１１０を備えている。この機枠１１０の前面における左側部の上下にはそれぞれ、ヒンジ機構が設けられており、これによって、機枠１１０に対して前方向へ扉状に回動可能に前面枠１２０が軸着されるようになっている。なお、矩形枠状の機枠１１０は、前面側から見て右側の一辺が金属製とされ、その他の辺は木製となっている。これによって、前面側から見て右側の一辺においては、強度を保ったまま厚みを薄くでき、遊技機１００の裏面側に様々な装置の配設を可能としている。
【００２１】
前面枠１２０は、当該前面枠１２０に備えられる各種部材等の取付用のベースとなる前面枠本体１３０を有し、該前面枠本体１３０の前面側に、クリア部材保持枠１４０と、発射操作ユニット１５０とが回動可能に取り付けられている。
【００２２】
前面枠本体１３０は、矩形枠状の機枠１１０の前面側をちょうど覆うような概略矩形板状であり、その前面における左側部の上下はヒンジ機構により機枠１１０に対して前方向へ扉状に回動可能に軸着されるようになっている。また、前面枠本体１３０の略中央から上端部にわたる部分には、遊技盤１を嵌め込んで収容するための略方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２３】
図２に示すように、前面枠本体１３０の遊技盤１が取り付けられた開口部１３１の下側となる前面枠本体１３０の下部には、各種部材の取付ベースとなる取付盤１３２が設けられている。この取付盤１３２には、遊技領域１ａに遊技球を発射する発射装置や、発射したにもかかわらず戻ってきた遊技球（ファール球）を回収するファール球回収部、賞球、貸球、ファール球を前面側から見て右方向に流下させる排出流路などが取り付けられている。また、取付盤１３２の下部には、排出装置より排出されて排出流路を流下した賞球、貸球や、ファール球回収部で回収されて排出流路を流下したファール球を排出する流出口１３３が形成されている。
【００２４】
また、前面枠本体１３０に設けられた取付盤１３２の前面側であって、遊技盤１が嵌め込まれた開口部１３１の下方には画像表示装置１３４が配されている。この画像表示装置１３４は液晶表示装置を備え、前面側に遊技に関わる画像として例えば、特別遊技状態を発生させるための変動表示ゲームの画像（図柄、演出キャラクタ、背景）を表示可能な画像表示面１３５が位置している。なお、画像表示装置１３４は、液晶表示装置を備えるものに限らず、ＥＬ、ＣＲＴ等の表示装置を備えるものであっても良い。
【００２５】
図３（ａ）に示すように、画像表示装置１３４は、それ自体が前方に向かって下るように傾斜して配されていて、その上端部は、遊技盤１が嵌め込まれた開口部１３１の下方に所定の間隔を置いて隣設し、該上端部の前端は開口部１３１の前端と略同じ前後位置にある。また、下端部は上端部よりも前方に位置している。すなわち、前面枠本体１３０において、画像表示面１３５が前方に向かって下るように傾斜しているとともに、遊技盤１よりも前方の位置に配されている。このように画像表示面１３５が前方に向かって下るように傾斜するとともに遊技盤１よりも前方に位置することで、遊技者から表示画像が見えやすくなるようにされている。なお、前面枠本体１３０の開口部１３１に配された遊技盤１は、前面枠本体１３０の前端部よりも後方の奥まった位置にあり、この遊技盤１が配された開口部１３１の下方に配される画像表示装置１３４も、その大部分が前面枠本体１３０の前端部よりも後方に位置するようになっている。
【００２６】
また、図２に示すように、画像表示装置１３４の左右に隣設してスピーカ１３６，１３６が配されている。このスピーカ１３６，１３６は、その前面が画像表示面１３５と同じ面上に位置するように配されており、画像表示面１３５と同様に上端よりも下端が前面側に位置するように前方側に下り傾斜した傾斜状態で配設されている。これにより、遊技者に向けて音声が出力されるようになっている。
【００２７】
以上のことから、画像表示装置１３４を前方側に下り傾斜した傾斜状態で配設するようにしたこととなる。
【００２８】
このような前面枠本体１３０の前面側は、遊技盤１が嵌め込まれた開口部１３１及び画像表示装置１３４の前面側を覆うクリア部材保持枠１４０と、その下方に配される発射操作ユニット１５０によって覆われるようになっている。クリア部材保持枠１４０は、上部及び左右の周縁が前面枠本体１３０の周縁に沿って配されるクリア部材保持枠本体１４１と、該クリア部材保持枠本体１４１の中央部分に取り付けられたクリア部材１４２とから構成されている。
【００２９】
クリア部材保持枠本体１４１は、前面における左側部の上下がヒンジ機構により前面枠本体１３０に対して回動可能に軸着されるようになっている。これによってクリア部材保持枠１４０が前方向へ扉状に開閉可能とされ、図２に示すように、クリア部材保持枠１４０を開くことにより、遊技盤１の前面側の遊技領域の前側を開放可能となっている。このクリア部材保持枠本体１４１には、クリア部材保持枠１４０を閉鎖した状態で遊技盤１が嵌め込まれた開口部１３１及び画像表示装置１３４の前面側を覆うようになる中央部分に、視認開口１４３が形成されており、ここに後述するクリア部材１４２が取り付けられている。
【００３０】
また、図１に示すように、視認開口１４３の下部であって、クリア部材保持枠１４０を閉鎖した際に前面枠本体１３０に設けられた画像表示装置１３４の下端よりも下側となる位置には、賞球や貸球として排出された遊技球を受け入れて貯留するとともに発射装置へ送る遊技球貯留部１４４が形成されている。この遊技球貯留部１４４は、クリア部材保持枠本体１４１の上方から見て前方に弓形に膨出するとともに、前面及び下面が球面とされている。そして、弓形に形成された上部には、所定の深さを有し、賞球や貸球として排出された遊技球を受け入れて貯留する貯留皿１４５が形成されている。
【００３１】
この貯留皿１４５の前面側から見て右側の端部には、前面枠本体１３０に設けられた流出口１３３（図２に図示）と対応する位置に、前後に貫通する開口１４５ａが形成されており、流出口１３３から流出した遊技球は、この開口１４５ａを通って貯留皿１４５の右側部分１４５ｂに流入するようになっている。貯留皿１４５の右側部分１４５ｂの底面は、中央側（左側）へ向かって下るように傾斜しており、開口１４５ａを通って貯留皿１４５に流入した遊技球は、中央側へ向かって流下する。貯留皿１４５の左右方向の中央部分は、左右方向に沿って立設された隔壁１４５ｃにより前後二つの領域に分割されており、前側の部分が貯留皿１４５の左側部分１４５ｆに連通する連通流路１４５ｄとされ、後側の部分が発射装置へ遊技球を誘導する発射球流路１４５ｅとされている。
【００３２】
連通流路１４５ｄに接続した貯留皿１４５の左側部分１４５ｆは所定の広さを有し、遊技機の左側に設けられる図示しない球貸機からの貸球を受け入れる部分となっている。すなわち、この左側部分１４５ｆの上方に球貸機から延出する供給路の先端が配され、貸球としての遊技球が球貸機から直接貯留皿１４５に供給される。この貯留皿１４５の左側部分１４５ｆの底面および連通流路１４５ｄは、中央側（右側）に向かって下るように傾斜しており、受け入れた遊技球は中央側へ流下するようになっている。また、発射球流路１４５ｅは、遊技球の直径程度の前後幅を有し、左側へ向かって下るように形成されており、貯留皿１４５の左側部分１４５ｆの下側を通って遊技機１００の内部に遊技球を誘導するようになっている。
【００３３】
また、遊技球貯留部１４４には、例えば、特別遊技状態において貯留皿１４５上に多量の賞球が排出された際に、余剰した遊技球を遊技機１００の外部に抜き取るための図示しない余剰球排出装置が設けられている。この余剰球排出装置は図示しない操作部を備え、この操作部を操作することで、貯留皿１４５内の遊技球が遊技球貯留部１４４の下方に位置する発射操作ユニット１５０の下部から排出されるようになっている。すなわち、遊技球貯留部１４４は、従来の遊技機における発射球を貯留する上皿と、余剰球を貯留する下皿の機能をあわせ持つものである。
【００３４】
また、クリア部材保持枠本体１４１の前面であって視認開口１４３の周囲には、枠装飾装置１４６としてのＬＥＤやランプが配されており、遊技の進行に合わせて点灯、点滅することで装飾を行うようになっている。
【００３５】
クリア部材保持枠本体１４１の視認開口１４３に取り付けられるクリア部材１４２は、例えば透明な合成樹脂からなり、遊技盤１の前面側を覆う遊技盤カバー部１４２ａと、画像表示装置１３４の前面側を覆う画像表示装置カバー部１４２ｂと、遊技盤カバー部１４２ａと画像表示装置カバー部１４２ｂの間に位置する屈曲部１４２ｃを有する。また、遊技盤カバー部１４２ａ、画像表示装置カバー部１４２ｂ、屈曲部１４２ｃの外周に沿って前方へ向かって延出し、前端部がクリア部材保持枠本体に接続する板状の側面部１４２ｄを有する。なお、この遊技盤カバー部１４２ａ、画像表示装置カバー部１４２ｂ、屈曲部１４２ｃは一枚の板状に形成されており、さらにこれらの外周に連続して側面部１４２ｄが一体となるように形成されている。また、このクリア部材１４２は、クリア部材保持枠本体１４１と一体になるように取り付けられている。
【００３６】
遊技盤カバー部１４２ａは、遊技盤１の少なくとも遊技領域１ａを覆うことのできる大きさを有する略半円形の部分で、図３（ａ）に示すように、遊技盤１と平行になるように垂直に配されている。また、この遊技盤カバー部１４２ａの遊技盤１と対向する側には、クリア部材１４２を閉鎖した状態において、前面枠本体１３０の開口部１３１に嵌め込まれた遊技盤１との間に遊技球が流下可能な遊技領域１ａとなる間隔を開けて、開口部１３１をほぼ閉塞するように、例えばガラスからなる内部カバー部１４２ｅが固定されている。すなわち、遊技盤１の前面側を覆う部分はクリア部材１４２が二重になっている。そして、遊技機１００の前側からクリア部材１４２を介して遊技盤１の前面側の少なくとも遊技領域１ａの部分が視認可能となっている。
【００３７】
画像表示装置カバー部１４２ｂは、遊技盤カバー部１４２ａの下端に屈曲部１４２ｃを挟んで連続した画像表示装置１３４の少なくとも画像表示面１３５を覆うことのできる大きさを有する矩形状の部分である。この画像表示装置カバー部１４２ｂは、クリア部材保持枠１４０を閉鎖した状態において、前方側に下るように傾斜した画像表示面１３５に沿って配されるように、画像表示装置１３４の傾斜に合わせて斜めに配されている。すなわち、遊技機１００の前側からクリア部材１４２を介して画像表示装置１３４の前面側の少なくとも画像表示面１３５の部分が視認可能となっている。また、この画像表示装置カバー部１４２ｂの下端は、遊技球貯留部１４４の後面の上端に接続している。
【００３８】
屈曲部１４２ｃは、垂直な遊技盤カバー部１４２ａと、傾斜した画像表示装置カバー部１４２ｂとが滑らかに連続するように屈曲した部分で、クリア部材保持枠１４０を閉鎖した状態において、遊技盤１を取り付ける開口部１３１の下端部と画像表示装置１３４の上端部の前方に位置するように配される。この屈曲部１４２ｃの後面側には後述する閉鎖部材１６０が当接することとなる。
【００３９】
図２に示すように、側面部１４２ｄは、遊技盤カバー部１４２ａ、画像表示装置カバー部１４２ｂ、屈曲部１４２ｃの外周に沿って前方へ向かって延出するように形成された部分である。この側面部１４２ｄは、前端部がクリア部材保持枠本体１４１の視認開口１４３に接続するようになっており、これによりでクリア部材保持枠本体１４１とクリア部材１４２とが一体となる。上述したように、遊技盤１や画像表示装置１３４の大部分は前面枠本体１３０の前端部よりも後方に奥まった位置に配されるようになっている。よって、これら遊技盤１や画像表示装置１３４の前面に近接して配されるクリア部材１４２は、クリア部材保持枠本体１４１の裏面から後方に膨出するように配する必要があり、側面部１４２ｄはこのように後方に膨出するクリア部材１４２の側面をなしている。なお、クリア部材１４２の下端部（画像表示装置カバー部１４２ｂの下端部）は遊技球貯留部１４４の上端に接続するので、側面部１４２ｄは形成されていない。
【００４０】
発射操作ユニット１５０は、前面枠本体１３０に設けられた取付盤１３２の前面側であって、クリア部材保持枠１４０の下側に、ヒンジ機構により前面枠本体１３０に対して前方向へ扉状に回動可能に軸着されており、この発射操作ユニット１５０を開くことにより、取付盤１３２の前側を開放可能となっている。
【００４１】
この発射操作ユニット１５０の前面には、遊技領域１ａに向けての遊技球の発射操作を行うための操作ハンドル１５１や遊技者が操作可能な演出操作部１５２が設けられている。また、発射操作ユニット１５０の下面であって、左右方向の中央となる位置には、余剰球排出装置の排出口が形成されている（図示略）。
【００４２】
また、発射操作ユニット１５０の開放端側となる前面側から見て右側の端部の前面には、施錠装置の一部をなす鍵穴１５３が形成されている。この鍵穴１５３は、前面枠本体１３０の施錠装置の一部であるとともに、クリア部材保持枠１４０の施錠装置の一部でもあって、鍵穴１５３に鍵を入れて一方（例えば左回り）に回すと前面枠本体１３０の施錠が解除され、他方（例えば右回り）に回すとクリア部材保持枠１４０の施錠が解除されるようになっている。
【００４３】
図２に示すように、前面枠本体１３０の開口部１３１に取り付けられる遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００４４】
遊技領域１ａ内には、図示を省略するが、普通図柄始動ゲート、普通図柄変動表示ゲームの未処理回数を表示する普通図柄記憶表示器、普通図柄の変動表示ゲームを表示する普通図柄表示器が設けられている。また、遊技領域１ａ内には、始動入賞口をなす普通変動入賞装置と、補助遊技としての特別図柄変動表示ゲームの未処理回数を点灯表示する特別図柄記憶表示器、特別図柄変動表示ゲームを表示する特別図柄表示器が設けられている。
【００４５】
さらに遊技領域１ａには、上端側が手前側に倒れる方向に回動して開放可能になっているアタッカ形式の開閉扉を有し、補助遊技としての特別図柄変動表示ゲームの結果如何によって大入賞口を閉じた状態（遊技者にとって不利な状態）から開放状態（遊技者にとって有利な状態）に変換する特別変動入賞装置、入賞口などに入賞しなかった遊技球を回収するアウト穴４が設けられている。また、遊技領域１ａには、一般入賞口、打球方向変換部材としての風車、多数の障害釘などが配設されている。
【００４６】
そして、遊技領域１ａ内に打ち込まれた遊技球が普通図柄始動ゲート内を通過すると、普通図柄変動表示ゲームが行われる。また、この普通図柄変動表示ゲームを開始する始動権利は、所定の上限数（例えば４）の範囲内で始動記憶（普通図柄始動記憶）として記憶され、普通図柄記憶表示器にて表示されるようになっている。
【００４７】
普通図柄変動表示ゲームは、遊技領域１ａ内に設けられた７セグからなる普通図柄表示器で実行されるようになっている。なお、画像表示装置１３４の画像表示面１３５の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普通図柄変動表示ゲームの停止表示が特別の結果態様となれば、普通図柄の当りとなって、普通変動入賞装置の開閉部材が所定時間（例えば、０.５秒間）開放される。これにより、普通変動入賞装置に遊技球が入賞しやすくなり、特別図柄の変動表示ゲームの始動が容易となる。
【００４８】
普通変動入賞装置は左右一対の開閉部材を具備し、この開閉部材は、常時は遊技球の直径程度の間隔をおいた閉じた状態（遊技者にとって不利な状態）を保持しているが、普通図柄変動表示ゲームの結果が所定の停止表示態様となった場合には、駆動装置としてのソレノイド（普電開閉ＳＯＬ）によって、逆「ハ」の字状に開いて普通変動入賞装置に遊技球が流入し易い状態（遊技者にとって有利な状態）に変化させられるようになっている。この普通変動入賞装置は、特別図柄変動表示ゲームの始動入賞口も兼ねている。すなわち、普通変動入賞装置の内部（入賞領域）に備えられた特図始動センサによって遊技球を検出することに基づき、補助遊技としての特別図柄変動表示ゲームを開始する始動権利が発生するようになっている。また、この特別図柄変動表示ゲームを開始する始動権利は、所定の上限数（例えば４）の範囲内で始動記憶（特別図柄始動記憶）として記憶され、特別柄記憶表示器にて表示されるようになっている。
【００４９】
補助遊技としての特別図柄（特図、識別情報）変動表示ゲームは、遊技領域１ａ内に設けられた７セグからなる特別図柄表示器で実行されるようになっており、複数の識別情報を変動表示したのち、所定の結果態様を停止表示することで行われる。また、画像表示装置１３４の画像表示面１３５にて複数種類の識別情報（例えば、数字、記号、キャラクタ図柄など）を変動表示させる特別図柄変動表示ゲームに対応した表示ゲームが実行されるようになっている。そして、この特別図柄変動表示ゲームの結果として、特別図柄表示器の表示態様が特別結果態様（たとえば「７」）となった場合には、大当たりとなって特別遊技状態（いわゆる、大当たり状態）となる。また、これに対応して画像表示装置１３４の表示態様も特別結果態様（例えば、「７，７，７」等のゾロ目数字の何れか）となる。なお、遊技機に特別図柄表示器を備えずに、画像表示装置１３４のみで特別図柄変動表示ゲームを実行するようにしても良い。
【００５０】
変動入賞装置としての特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、例えば、駆動装置としてのソレノイド（大入賞口開閉ＳＯＬ）により駆動される。また、大入賞口の内部（入賞領域）には、該大入賞口に入った遊技球を検出する入賞球検出手段としてのカウントセンサが配設されている。
【００５１】
また、遊技を開始することにより遊技領域１ａ内に打ち込まれた遊技球が、一般入賞口、普通変動入賞装置、特別変動入賞装置等の入賞口の何れかに入賞すると、それぞれの入賞口に対応した所定数の賞球が排出装置によって排出される（払い出される）ようになっている。なお、排出された遊技球は、流出口１３３から開口１４５ａを通って貯留皿１４５に排出されるようになっている。
【００５２】
図３（ａ）に示すように、前面枠本体１３０における遊技盤１を取り付ける開口部１３１の下端部と画像表示装置１３４の上端部の間には、クリア部材保持枠１４０の閉鎖時に、クリア部材保持枠１４０との間に形成される遊技盤１の下方の間隙を閉鎖する閉鎖部材１６０が設けられている。
【００５３】
この閉鎖部材１６０は、所要面積を有する板状に形成され、開口部１３１と画像表示装置１３４の間に設けられた収納部１６１に収納されている。この収納部１６１は、板状の閉鎖部材１６０の厚みと略等しい前方に開口したスリット状の収納空間１６１ａを有し、この収納空間１６１ａに前後方向に移動可能な状態で、かつ、付勢部材（図示略）により前方向に付勢された状態で閉鎖部材１６０の一部また全部が収納されるようになっている。また、付勢部材により前方向に付勢された閉鎖部材１６０は、外部から力が加わっていない状態における前方への突出幅が、クリア部材保持枠１４０を閉鎖した際に閉鎖部材１６０が当接するクリア部材保持枠１４０の後面（屈曲部１４２ｃの後面）までの距離よりも大きくなるように設定されている。
【００５４】
このような閉鎖部材１６０は、図３（ａ）に示すように、クリア部材保持枠１４０を閉鎖した状態では、その先端がクリア部材１４２の後面（屈曲部１４２ｃの後面）に当接し、クリア部材保持枠１４０との間に形成される遊技盤１の下方の間隙を閉鎖した第１状態となる。また上述したように、閉鎖部材１６０は前方への突出幅が、クリア部材保持枠１４０を閉鎖した際に閉鎖部材１６０が当接するクリア部材保持枠１４０の後面までの距離よりも大きくなるように設定されており、第１状態においては付勢部材の付勢力に抗して収納部１６１に押し込まれ、前方への移動が規制された状態となる。よって、閉鎖部材１６０の先端がクリア部材１４２の後面に押し付けられた状態となり、不正部材の侵入を確実に防止できるようになっている。なお、閉鎖部材１６０は遊技者の視界を妨げないように透明な材質で形成されていることが望ましい。
【００５５】
そして、この第１状態からクリア部材保持枠１４０を開放すると、前方への移動規制が解除されて、図３（ｂ）に示すように、付勢部材の付勢力により閉鎖部材１６０が第１状態よりも前方に突出した第２状態に変換されるようになっている。このように閉鎖部材１６０が前方へ突出することで、例えば遊技領域１ａ内で発生した球止まりを解消する場合に、クリア部材保持枠１４０を開放した際、遊技領域１ａから落下する遊技球を受け止めることができる。
【００５６】
特に、遊技盤１の下方に設けられた画像表示装置１３４は、遊技者から画像表示面１３５が見えやすくなるように斜め上方を向いて配されており、遊技盤１から遊技球が落下すると、画像表示面１３５に直接遊技球が衝突し、傷がついたりや破損したりする虞があるが、閉鎖部材１６０を設けたことでこれを防止できる。また、閉鎖部材１６０は、その上面が後方側（遊技盤１側）に向かって下るように配されており、閉鎖部材１６０上に落下した遊技球を確実に受け止めることができるようになっている。
【００５７】
以上のことから、遊技領域１ａが形成された遊技盤１を前面枠１２０に配設するようにした遊技機において、前面枠１２０における遊技盤１の下部に遊技に関わる画像を表示する画像表示装置１３４を配設するとともに、該遊技盤１及び画像表示装置１３４の前方を覆うクリア部材１４２を保持可能なクリア部材保持枠１４０を該前面枠１２０に軸着し、前面枠１２０には、クリア部材保持枠１４０の閉鎖時に該クリア部材保持枠１４０との間に形成される遊技盤１の下方の間隙を閉鎖することで、遊技領域１ａに対してその下方から不正部材を挿入することを防止するための閉鎖部材１６０を備えてこととなる。
【００５８】
また、閉鎖部材１６０を前面枠１２０に備えたこととなる。
【００５９】
また、閉鎖部材１６０は、所要面積を有する板状に形成され、クリア部材保持枠１４０の開放時に、不正部材の挿入を防止する第１状態から、遊技盤１の下方において遊技領域１ａから落下する遊技球が画像表示装置１３４に衝突することを防止可能な第２状態に状態変換可能に構成したこととなる。
【００６０】
また、前面枠１２０は、閉鎖部材１６０を収納する収納部１６１と、該閉鎖部材１６０を前方に付勢する付勢部材を備え、閉鎖部材１６０は、クリア部材保持枠１４０の開放時に、前方への移動規制が解除されて前方へ突出することで第２状態に変換するようにしたこととなる。
【００６１】
図４には、上述した遊技機１００の第１変形例を示した。なお、上述の実施形態の遊技機１００と同様の構成を有する部分に関しては、同じ符号を付して説明を省略する。
本変形例にかかる遊技機１００ａの閉鎖部材１７０は、一端が遊技盤１を取り付ける開口部１３１の下端に軸着され、回動することで第１状態と第２状態とに変換可能な構成となっている。
【００６２】
閉鎖部材１７０は所要面積を有する板状に形成され、一側端側が軸着部１７１として遊技盤１を取り付ける開口部１３１の下端に対して回動可能に軸着されている。また、閉鎖部材１７０は、付勢部材（図示略）により遊技機１００ａの右側面から見て軸着部１７１を中心に反時計回り方向（前方側）へ回動するように付勢されている。さらに、閉鎖部材１７０の軸着部１７１をなす一側端部と対向する他側端部は、閉鎖部材１７０の下側（画像表示装置１３４側）へ折り返すように断面コ字状に折り曲げられた折り曲げ部１７３とされている。すなわち折り曲げ部１７３は、折り曲げ部１７３に対して軸着部１７１を下方にした起立状態において、略垂直に起立した板状の閉鎖部材１７０の先端部分を前方側に折り曲げ、さらにその先端を下側に折り曲げた形状となっている。
【００６３】
このような閉鎖部材１７０は、図４（ａ）に示すように、クリア部材保持枠１４０を閉鎖した状態では、折り曲げ部１７３に対して軸着部１７１を下方にした起立状態となるように配される。この状態で折り曲げ部１７３は、クリア部材１４２の後面（内部カバー部１４２ｅの後面）に当接し、クリア部材保持枠１４０との間に形成される遊技盤１の下方の間隙を閉鎖した第１状態となる。また、第１状態では軸着部１７１に対して上方に位置する折り曲げ部１７３は、閉鎖部材１７０の前側かつ下側へ折り返すように断面コ字状に折り曲げられていることから、先端が遊技機１００ａの下方に向いて、いわゆる忍び返しとしての機能をなす。これにより、遊技盤１の下側からの不正部材の侵入を防止できるようになっている。
【００６４】
また上述したように、閉鎖部材１７０は付勢部材により遊技機１００ａの右側面から見て軸着部１７１を中心に反時計回り方向へ回動するように付勢されているので、第１状態においては付勢部材の付勢力に抗して起立した状態となっている。よって、閉鎖部材１７０の先端がクリア部材１４２の後面に押し付けられた状態となり、不正部材の侵入を確実に防止できるようになっている。なお、閉鎖部材１７０は遊技者の視界を妨げないように透明な材質（例えば、合成樹脂、ガラス）で形成されていることが望ましい。
【００６５】
そして、この第１状態からクリア部材保持枠１４０を開放すると、図４（ｂ）に示すように、付勢部材の付勢力により閉鎖部材１７０が前方へ回動し、第１状態よりも前方に突出した第２状態に変換されるようになっている。このように閉鎖部材１７０が前方へ突出することで、例えば遊技領域１ａ内で発生した球止まりを解消する場合に、クリア部材保持枠１４０を開放した際、遊技領域１ａから落下する遊技球を受け止めることができる。また、閉鎖部材１７０は、その上面が後方側（遊技盤１側）に向かって下るように傾斜した状態となる位置で、それ以上の下方向への回動が規制されるようになっており、閉鎖部材１７０上に落下した遊技球を確実に受け止めることができるようになっている。
【００６６】
以上のことから、閉鎖部材１７０は、一側端側が前面枠１２０に軸着されてクリア部材保持枠１４０の閉鎖時には軸着部１７１を下方にした起立状態で第１状態となり、該クリア部材保持枠１４０の開放時には、付勢部材の作用により前方に回動することで第２状態に変換するように構成し、第１状態における上端部を前方に折り曲げた形状としたこととなる。
【００６７】
図５には、上述した遊技機１００の第２変形例を示した。なお、第１変形例の遊技機１００ａと同様の構成を有する部分に関しては、同じ符号を付して説明を省略する。
本変形例にかかる遊技機１００ｂは、閉鎖部材１７０が取り付けられた部分の上方で、かつ、遊技盤１を取り付ける開口部１３１の下方となる位置に、遊技球貯留部１４４に連通し、閉鎖部材１７０で受け止めた遊技球を貯留皿１４５へ返却するための返却流路１７４が形成されている。すなわち、遊技領域１ａで球止まりしていた遊技球は、遊技領域１ａにおける振り分け（アウト、セーフ）が未だ完了していないものであり、この遊技球をそのままアウト球としてしまうと、遊技者が不満に思う虞があるが、返却流路１７４により遊技球を返却することで、このような不満を解消できる。
【００６８】
図５には、第１変形例にかかる遊技機１００ａの閉鎖部材１７０を例に示した。返却流路１７４は、閉鎖部材１７０が第２状態となった状態において、後方側（遊技盤１側）に向かって下るように傾斜した閉鎖部材１７０の上面と、返却流路１７４の底面とが略同一面を形成するように形成されている。これにより、上方にある遊技領域１ａから閉鎖部材１７０上に落下し、閉鎖部材１７０の傾斜に沿って後方に誘導された遊技球が、円滑に返却流路１７４内に誘導されるようになる。また、第１変形例にかかる遊技機１００ａの閉鎖部材１７０によれば、クリア部材保持枠１４０を閉鎖し、閉鎖部材１７０が第１状態となっている際には、閉鎖部材１７０自体が返却流路１７４の流入口を閉鎖するようになる。
【００６９】
以上のことから、前面枠１２０は、閉鎖部材１７０の第２状態への変換により、上方から受けた遊技球を、遊技者側に返却する流路（返却流路１７４）を形成したこととなる。
【００７０】
なお、例えば、返却流路１７４を閉鎖部材１７０の中央に対応した部位に形成し、閉鎖部材１７０の上面を、返却流路１７４が形成された部分に向けて左右側から中央方向に下るような傾斜面とし、閉鎖部材１７０で受け止めた遊技球が自動的に返却流路１７４に誘導されるようにしても良い。また、遊技球を貯留皿１４５へ返却するとしたが、遊技機の下方に配される球箱に返却するようにしても良いし、下皿を備える遊技機の場合は下皿に返却するようにしても良い。また、閉鎖部材として、図３に示す実施形態にかかる遊技機１００の閉鎖部材１６０を用いることも可能である。
【００７１】
図６には、上述した遊技機１００の第３変形例を示した。なお、図３に示す実施形態の遊技機１００と同様の構成を有する部分に関しては、同じ符号を付して説明を省略する。
本変形例にかかる遊技機１００ｃの閉鎖部材１８０は、遊技機１００ｃの左右方向に沿って列設され、各々独立して状態変換可能な複数の部材（閉鎖部材構成片１８１，１８１，…）から構成されている。
【００７２】
この閉鎖部材１８０を構成する閉鎖部材構成片１８１，１８１，…は、各々所要面積を有する板状の部材で、開口部１３１と画像表示装置１３４の間に設けられた収納部１８２に収納されている。この収納部１８２は、板状をした閉鎖部材構成片１８１，１８１，…の厚みと略等しい前方に開口したスリット状の収納空間１８３を有し、この収納空間１８３に閉鎖部材構成片１８１，１８１，…が各々前後方向に独立して移動可能な状態で、かつ、付勢部材（図示略）により前方向に付勢された状態で一部また全部が収納されるようになっている。
【００７３】
この閉鎖部材構成片１８１，１８１，…は基本的には図３に示す実施形態の閉鎖部材１６０と同様であり、各々に備えられた付勢部材により前方向に付勢された閉鎖部材構成片１８１，１８１，…は、外部から力が加わっていない状態における前方への突出幅が、クリア部材保持枠１４０を閉鎖した際に閉鎖部材１８０が当接するクリア部材保持枠１４０の後面までの距離よりも大きくなるように設定されている。また、このような閉鎖部材構成片１８１，１８１，…は、クリア部材保持枠１４０を閉鎖した状態では、その先端がクリア部材１４２の後面（屈曲部１４２ｃの後面）に当接し、クリア部材保持枠１４０との間に形成される遊技盤１の下方の間隙を閉鎖した第１状態となる。
【００７４】
また上述したように、閉鎖部材構成片１８１，１８１，…は前方への突出幅が、クリア部材保持枠１４０を閉鎖した際に閉鎖部材構成片１８１，１８１，…が当接するクリア部材保持枠１４０の後面までの距離よりも大きくなるように設定されており、第１状態においては付勢部材の付勢力に抗して収納部１８２に押し込まれた状態となる。よって、閉鎖部材構成片１８１，１８１，…の先端がクリア部材１４２の後面に押し付けられた状態となり、不正部材の侵入を確実に防止できるようになっている。
【００７５】
そして、この第１状態からクリア部材保持枠１４０を開放すると、付勢部材の付勢力により閉鎖部材１８０が第１状態よりも前方に突出した第２状態に変換されるようになっている。ここで、図６に示すように、クリア部材保持枠１４０は、前面側から見た左側部が回動可能に軸支されているので、開放する過程において、左側部よりも右側部が早く前面枠本体１３０の前面から離れることとなる。本変形例の閉鎖部材１８０を構成する閉鎖部材構成片１８１，１８１，…は、各々独立して前後動可能であるので、このように左側部と右側部とで間隔が異なる場合にもクリア部材保持枠１４０の後面の動きにそれぞれ追従して動作する。これにより、遊技盤１とクリア部材保持枠１４０との間隔をより確実に閉鎖でき、遊技領域１ａから落下する遊技球を確実に受け止めることができる。
【００７６】
なお、各閉鎖部材構成片１８１，１８１，…の側端部を各々重合することで、不正部材を挿入する隙間をなくすようにしても良い。
また、閉鎖部材として、第１変形例にかかる遊技機１００ａの閉鎖部材１７０のような構成を用いることも可能である。この場合は、遊技機１００ｃの左右方向に沿って列設された複数の閉鎖部材構成片１８１，１８１，…が各々独立して回動可能な構成とする。
【００７７】
以上のことから、閉鎖部材１８０は、列設された複数の部材（閉鎖部材構成片１８１，１８１，…）から構成され、各々独立して状態変換可能に構成したこととなる。
【００７８】
図７には、上述した遊技機１００の第４変形例を示した。なお、図３に示す実施形態の遊技機１００と同様の構成を有する部分に関しては、同じ符号を付して説明を省略する。
本変形例にかかる遊技機１００ｄは、クリア部材保持枠１４０における閉鎖部材１６０が当接する部分に、閉鎖部材１６０の先端を収容する収容凹部１９１が形成されている。
【００７９】
図７に示すように、クリア部材保持枠１４０における閉鎖部材１６０が当接する部分には、左右方向に沿って延在するように収容凹部形成部材１９０が設けられている。この収容凹部形成部材１９０は不透明な材質からなり、その上下幅は、遊技盤１の前面下部を覆う位置から画像表示装置１３４の前面上部を覆う位置までの範囲とされ、閉鎖部材１６０が設けられる遊技盤下部と画像表示装置上部の間の間隙を完全に覆うようになっている。これにより、閉鎖部材１６０や該閉鎖部材１６０を収納する収納部１６１などを隠し、遊技機１００ｄの装飾性を向上するようになっている。なお、遊技者から視認可能な収容凹部形成部材１９０の前部に、装飾を施して遊技機１００ｄの装飾性を向上するようにしても良いし、装飾パネルや遊技説明等の機能パネルを取り付ける取付部を形成しても良い。
【００８０】
また、この収容凹部形成部材１９０の後部には、前方に窪む収容凹部１９１が収容凹部形成部材１９０の延在方向に沿って形成されており、クリア部材保持枠１４０を閉鎖し、第１状態となった閉鎖部材１６０の先端部が収容されるようになっている。このように閉鎖部材１６０の先端が収容凹部１９１に収容された状態となることで、遊技盤１の下方から遊技領域１ａへ不正部材を挿入することが非常に困難となり、より確実に不正行為を防止できる。
【００８１】
なお、閉鎖部材１６０，１７０，１８０は前面枠１２０に設けるとしたが、遊技盤１に設けても良いし、クリア部材保持枠１４０に設けても良い。
【００８２】
以上のような遊技機１００，１００ａ，１００ｂ，１００ｃ，１００ｄは、遊技領域１ａが形成された遊技盤１を前面枠１２０に配設するようにした遊技機であって、前面枠１２０における遊技盤１の下部に遊技に関わる画像を表示する画像表示装置１３４を配設するとともに、該遊技盤１及び画像表示装置１３４の前方を覆うクリア部材１４２を保持可能なクリア部材保持枠１４０を該前面枠１２０に軸着し、前面枠１２０には、クリア部材保持枠１４０の閉鎖時に該クリア部材保持枠１４０との間に形成される遊技盤１の下方の間隙を閉鎖することで、遊技領域１ａに対してその下方から不正部材を挿入することを防止するための閉鎖部材１６０，１７０，１８０を備えている。
【００８３】
したがって、前面枠１２０における遊技盤１の下部に遊技に関わる画像を表示する画像表示装置１３４を配設することにより、従来にない斬新な配置構成となる。また、大型の画像表示装置１３４を遊技者に近い位置に備えることも可能となり画像表示装置１３４の視認性を向上できるとともに興趣を高めることが可能となる。さらに、画像表示装置１３４は遊技盤１の交換の際にそのまま枠側に残すことができるので、新機種への移行を効率よく行うことが可能となる。
また、上記構成にすることにより、遊技盤１に対して下方からピアノ線やセル等の不正部材を挿入して不正行為が行いやすくなるといった課題が生じる可能性があるが、クリア部材保持枠１４０の閉鎖時に、遊技盤１の下方において該クリア部材保持枠１４０との間に形成される間隙を閉鎖することで、遊技領域１ａに対してその下方から不正部材を挿入することを防止する閉鎖部材１６０，１７０，１８０を備えたので、不正行為に対しても何ら問題が生じない。
【００８４】
また、閉鎖部材１６０，１７０，１８０を前面枠１２０に備えている。
【００８５】
したがって、閉鎖部材１６０，１７０，１８０を前面枠１２０に備えたので、閉鎖部材１６０，１７０，１８０を遊技盤１の交換の際にそのまま枠側に残すことができ、新機種への移行を効率よく行うことが可能となる。
【００８６】
また、閉鎖部材１６０，１７０，１８０は、所要面積を有する板状に形成され、クリア部材保持枠１４０の開放時に、不正部材の挿入を防止する第１状態から、遊技盤１の下方において遊技領域１ａから落下する遊技球が画像表示装置１３４に衝突することを防止可能な第２状態に状態変換可能に構成している。
【００８７】
したがって、閉鎖部材１６０，１７０，１８０は、所要面積を有する板状に形成され、クリア部材保持枠１４０の開放時に、不正部材の挿入を防止する第１状態から、遊技盤１の下方において遊技領域１ａから落下する遊技球が画像表示装置１３４に衝突することを防止可能な第２状態に状態変換可能に構成したので、クリア部材保持枠１４０の開放時に、例えば球止まりの発生により遊技領域１ａに止まっていた遊技球が落下しても、それが画像表示装置１３４に衝突することを防止できるので、遊技球の衝突により画像表示装置１３４が故障する等を防止できる。
【００８８】
また、画像表示装置１３４を前方側に下り傾斜した傾斜状態で配設するようにしている。
【００８９】
したがって、画像表示装置１３４を前方側に下り傾斜した傾斜状態で配設するようにしたので、遊技者に対して、表示画像を見やすくすることができる。なお、遊技球が遊技領域１ａから落下した場合には、傾斜した画像表示装置１３４の画像表示面１３５に遊技球が衝突する可能性が高くなるが、上述した閉鎖部材１６０，１７０，１８０を備えることにより画像表示面１３５をカバーできるので、遊技球の衝突による画像表示装置１３４の故障を防止できる。
【００９０】
また、前面枠１２０は、閉鎖部材１６０，１８０を収納する収納部１６１，１８２と、該閉鎖部材１６０，１８０を前方に付勢する付勢部材を備え、閉鎖部材１６０，１８０は、クリア部材保持枠１４０の開放時に、前方への移動規制が解除されて前方へ突出することで第２状態に変換するようにしている。
【００９１】
したがって、前面枠１２０は、閉鎖部材１６０，１８０を収納する収納部１６１，１８２と、該閉鎖部材１６０，１８０を前方に付勢する付勢部材を備え、閉鎖部材１６０，１８０は、クリア部材保持枠１４０の開放時に、前方への移動規制が解除されて前方へ突出することで第２状態に変換するようにしたので、閉鎖部材１６０，１８０の状態変換を迅速に行うことができるようになる。
また、閉鎖部材１６０，１８０はクリア部材保持枠１４０の開放と同時に前方へ突出することとなるので、特別な操作をする必要がなく簡単であり、かつ、遊技球の衝突による画像表示装置１３４の故障を確実に防止できる。
また、閉鎖部材１６０，１８０を収納する収納部１６１，１８２を備えることで、クリア部材保持枠１４０を閉鎖した状態において、外部から閉鎖部材１６０，１８０が目立たないようにすることも可能となり、遊技機１００，１００ｃの装飾性を向上できる。
【００９２】
また、閉鎖部材１７０は、一側端側が前面枠１２０に軸着されてクリア部材保持枠１４０の閉鎖時には軸着部１７１を下方にした起立状態で第１状態となり、該クリア部材保持枠１４０の開放時には、付勢部材の作用により前方に回動することで第２状態に変換するように構成し、第１状態における上端部を前方に折り曲げた形状としている。
【００９３】
したがって、閉鎖部材１７０は、一側端側が前面枠１２０に軸着されてクリア部材保持枠１４０の閉鎖時には軸着部１７１を下方にした起立状態で第１状態となり、該クリア部材保持枠１４０の開放時には、付勢部材の作用により前方に回動することで第２状態に変換するように構成したので、閉鎖部材１７０の状態変換を迅速に行うことができるようになる。また、閉鎖部材１７０はクリア部材保持枠１４０の開放により前方に回動することとなるので、特別な操作をする必要がなく簡単であり、かつ、遊技球の衝突による画像表示装置１３４の故障を確実に防止できる。
また、第１状態における上端部を前方に折り曲げた形状としたので、不正部材に対して折り曲げ部１７３でその進入を確実に防止できる。
【００９４】
また、閉鎖部材１８０は、列設された複数の部材（閉鎖部材構成片１８１，１８１，…）から構成され、各々独立して状態変換可能に構成している。
【００９５】
したがって、閉鎖部材１８０は、列設された複数の部材から構成され、各々独立して状態変換可能に構成したので、クリア部材保持枠１４０の開放角度に応じて、対応する閉鎖部材（閉鎖部材構成片１８１，１８１，…）から順に変換が行われることとなり、クリア部材保持枠１４０の開放開始時に遊技球が画像表示装置１３４に衝突してしまうことを防止できる。
【００９６】
また、前面枠１２０は、閉鎖部材１６０，１７０，１８０の第２状態への変換により、上方から受けた遊技球を、遊技者側に返却する流路（返却流路１７４）を形成している。
【００９７】
したがって、前面枠１２０は、閉鎖部材１６０，１７０，１８０の第２状態への変換により、上方から受けた遊技球を、遊技者側に返却する流路を形成したので、遊技領域１ａから落下した遊技球は未だ入賞する可能性を残していたので、その遊技球を遊技者に返却することで、遊技者が不満感を抱くことを防止できる。
【００９８】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００９９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１００】
なお、本実施形態の遊技機の背景技術は以下の通りである。
［背景技術］
従来、遊技機としてのパチンコ遊技機において、遊技領域を形成する遊技盤を本体枠（前面枠）に対して着脱自在に構成し、新機種の入れ替え時には遊技盤のみを交換できるようにしたものが知られている。遊技盤には、表示ゲームを表示可能な画像表示装置や表示ゲームを装飾する発光部材等が備えられている。一方、本体枠には遊技盤の入賞口へ遊技球が入賞した場合に所定数の遊技球を排出する排出装置や遊技球を遊技領域に発射する発射装置等が配設されている。しかし、遊技盤に液晶表示装置などの画像表示装置が遊技盤に取り付けられていることから、遊技盤の交換毎に比較的高価な画像表示装置も同時に交換しなければならず、非常に無駄の多い構成であった。
【０１０１】
そこで、画像表示装置を前面枠側に配設するようにして遊技盤の交換の際に画像表示装置をそのまま前面枠に残せるようにした遊技機も考えられている（例えば、上記特許文献１参照）。このような遊技機においては、遊技盤の後方に画像表示装置を配設するとともに遊技盤を透明な部材で構成することで、遊技盤の前方から遊技盤を透かして画像表示装置の画像が見えるようになっている。
【０１０２】
［課題］
しかしながら、従来の遊技機では、遊技球が流下する遊技領域の後方側において画像表示が行われることから、遊技者の視点が前後方向に頻繁に切り替わることから見づらいといった課題が生じていた。また、遊技盤が汚れた場合には、後方の画像表示が見づらくなってしまう。
また、遊技盤の後方側に画像表示装置を配設する必要があることから、遊技機の前後幅が大きくなってしまい島設備への設置が困難となってしまったり、遊技機の裏面に配設される各種制御装置や裏機構部品の取付が困難となってしまったり等の課題が生じていた。
【０１０３】
上記の課題を解決するため、本実施形態の遊技機は、
遊技領域が形成された遊技盤を前面枠に配設するようにした遊技機において、
前記前面枠における遊技盤の下部に遊技に関わる画像を表示する画像表示装置を配設するとともに、該遊技盤及び画像表示装置の前方を覆うクリア部材を保持可能なクリア部材保持枠を該前面枠に軸着し、
前記前面枠に前記クリア部材保持枠の閉鎖時に該クリア部材保持枠との間に形成される前記遊技盤の下方の間隙を閉鎖する閉鎖部材を備え、
前記閉鎖部材は、
所要面積を有する板状に形成され、前記クリア部材保持枠の開放時に、前記不正部材の挿入を防止する第１状態から、前記遊技盤の下方において前記遊技領域から落下する遊技球が前記画像表示装置に衝突することを防止可能な第２状態に状態変換可能に構成され、
一側端側が前記前面枠に軸着されて前記クリア部材保持枠の閉鎖時には軸着部を下方にした起立状態で前記第１状態となり、該クリア部材保持枠の開放時には、付勢部材の作用により前方に回動することで前記第２状態に変換するように構成し、
前記第１状態における上端部を前方に折り曲げた形状としたことを特徴としている。
【０１０４】
これにより、前面枠における遊技盤の下部に遊技に関わる画像を表示する画像表示装置を配設することにより、従来にない斬新な配置構成となる。また、大型の画像表示装置を遊技者に近い位置に備えることも可能となり画像表示装置の視認性を向上できるとともに興趣を高めることが可能となる。さらに、画像表示装置は遊技盤の交換の際にそのまま枠側に残すことができるので、新機種への移行を効率よく行うことが可能となる。
また、上記構成にすることにより、遊技盤に対して下方からピアノ線やセル等の不正部材を挿入して不正行為が行いやすくなるといった課題が生じる可能性があるが、クリア部材保持枠の閉鎖時に、遊技盤の下方において該クリア部材保持枠との間に形成される間隙を閉鎖することで、遊技領域に対してその下方から不正部材を挿入することを防止する閉鎖部材を備えたので、不正行為に対しても何ら問題が生じない。
【０１０５】
また、閉鎖部材を前面枠に備えたので、閉鎖部材を遊技盤の交換の際にそのまま枠側に残すことができ、新機種への移行を効率よく行うことが可能となる。
【０１０６】
また、閉鎖部材は、所要面積を有する板状に形成され、クリア部材保持枠の開放時に、不正部材の挿入を防止する第１状態から、遊技盤の下方において遊技領域から落下する遊技球が画像表示装置に衝突することを防止可能な第２状態に状態変換可能に構成したので、クリア部材保持枠の開放時に、例えば球止まりの発生により遊技領域に止まっていた遊技球が落下しても、それが画像表示装置に衝突することを防止できるので、遊技球の衝突により画像表示装置が故障する等を防止できる。
【０１０７】
また、閉鎖部材は、一側端側が前面枠に軸着されてクリア部材保持枠の閉鎖時には軸着部を下方にした起立状態で第１状態となり、該クリア部材保持枠の開放時には、付勢部材の作用により前方に回動することで第２状態に変換するように構成したので、閉鎖部材の状態変換を迅速に行うことができるようになる。また、閉鎖部材はクリア部材保持枠の開放により前方に回動することとなるので、特別な操作をする必要がなく簡単であり、かつ、遊技球の衝突による画像表示装置の故障を確実に防止できる。
また、第１状態における上端部を前方に折り曲げた形状としたので、不正部材に対して折り曲げ部でその進入を確実に防止できる。
【符号の説明】
【０１０８】
１        遊技盤
１ａ      遊技領域
１００    遊技機
１００ａ  遊技機
１００ｂ  遊技機
１００ｃ  遊技機
１００ｄ  遊技機
１２０    前面枠
１３４    画像表示装置
１３５    画像表示面
１４０    クリア部材保持枠
１４２    クリア部材
１６０    閉鎖部材
１６１    収納部
１７０    閉鎖部材
１７１    軸着部
１７３    折り曲げ部
１７４    返却流路
１８０    閉鎖部材
１８１    閉鎖部材構成片
１８２    収納部
【図１】
0005552608.tif 000002
【図２】
0005552608.tif 000003
【図３】
0005552608.tif 000004
【図４】
0005552608.tif 000005
【図５】
0005552608.tif 000006
【図６】
0005552608.tif 000007
【図７】
0005552608.tif 000008